(57)【特許請求の範囲】
【請求項１】
光学ピックアップの光学系を介して記録媒体に光ビームを照射し、光情報データを記録または再生の少なくともいずれか一方を行う光情報記録再生装置において、
上記光学系は、
±１次回折光の焦点位置が、０次回折光の焦点位置に対して、光軸方向前後に焦点を結ぶように回折するホログラム素子と、
上記ホログラム素子により回折された上記０次回折光および上記±１次回折光を上記記録媒体のトラックにほぼ平行な方向に対称に２分割する光学素子と、
上記ホログラム素子による上記０次回折光の焦点位置近傍に設けられた光検出手段と、
を備え、
上記光検出手段は、上記ホログラム素子、上記光学素子により回折および分割された少なくとも２つの光ビームを受光することによりトラッキング誤差信号を生成するとともに、上記ホログラム素子により回折された±１次回折光をさらに上記光学素子により各々２分割された４つの光ビームを受光することによりフォーカス誤差信号を生成し、上記フォーカス誤差信号検出を行う領域と、トラック誤差信号検出を行う領域とを別に設けるようにしたことを特徴とする光情報記録再生装置。
【請求項２】
請求項１記載の光情報記録再生装置において、
上記ホログラム素子による０次回折光を受光する上記光検出手段の検出領域が、上記記録媒体のトラックにほぼ平行な方向に複数存在するようにしたことを特徴とする光情報記録再生装置。
【請求項３】
請求項１記載の光情報記録再生装置において、
上記ホログラム素子による０次回折光を受光する上記光検出手段の複数の受光領域のいずれかの大きさが、上記ホログラム素子の０次回折光が上記光検出手段上に作る光スポットの、２倍の直径の円を超えないようにしたことを特徴とする光情報記録再生装置。
【請求項４】
光学ピックアップの光学系を介して光ビームを照射し、記録媒体に光情報データを記録または再生する光情報記録再生方法において、
上記光学系は、
±１次回折光の焦点位置が、０次回折光の焦点位置に対して、光軸方向前後に焦点を結ぶようにホログラム素子により回折させ、
上記ホログラム素子により回折された上記０次回折光および上記±１次回折光を光学素子により上記記録媒体のトラックにほぼ平行な方向に対称に２分割し、
上記ホログラム素子による上記０次回折光の焦点位置近傍に設けられた光検出手段は、上記ホログラム素子、上記光学素子により回折および分割された少なくとも２つの光ビームを受光することによりトラッキング誤差信号を生成するとともに、上記ホログラム素子により回折された±１次回折光をさらに上記光学素子により各々２分割された４つの光ビームを受光することによりフォーカス誤差信号を生成し、上記フォーカス誤差信号検出を行う領域と、トラック誤差信号検出を行う領域とを別に設けるようにしたことを特徴とする光情報記録再生方法。
【請求項５】
請求項４記載の光情報記録再生方法において、
上記ホログラム素子による０次回折光を受光する上記光検出手段の検出領域が、上記記録媒体のトラックにほぼ平行な方向に複数存在するようにしたことを特徴とする光情報記録再生方法。
【請求項６】
請求項４記載の光情報記録再生方法において、
上記ホログラム素子による０次回折光を受光する上記光検出手段の複数の受光領域のいずれかの大きさが、上記ホログラム素子の０次回折光が上記光検出手段上に作る光スポットの、２倍の直径の円を超えないようにしたことを特徴とする光情報記録再生方法。
【請求項７】
光源から出射された光ビームを光学系を介して記録媒体に照射する光学ピックアップにおいて、
上記光学系は、
±１次回折光の焦点位置が、０次回折光の焦点位置に対して、光軸方向前後に焦点を結ぶように回折するホログラム素子と、
上記ホログラム素子により回折された上記０次回折光および上記±１次回折光を上記記録媒体のトラックにほぼ平行な方向に対称に２分割する光学素子と、
上記ホログラム素子による上記０次回折光の焦点位置近傍に設けられた光検出手段と、
を備え、
上記光検出手段は、上記ホログラム素子、上記光学素子により回折および分割された少なくとも２つの光ビームを受光することによりトラッキング誤差信号を生成するとともに、上記ホログラム素子により回折された±１次回折光をさらに上記光学素子により各々２分割された４つの光ビームを受光することによりフォーカス誤差信号を生成し、上記フォーカス誤差信号検出を行う領域と、トラック誤差信号検出を行う領域とを別に設けるようにしたことを特徴とする光学ピックアップ。
【請求項８】
請求項７記載の光学ピックアップにおいて、
上記ホログラム素子による０次回折光を受光する上記光検出手段の検出領域が、上記記録媒体のトラックにほぼ平行な方向に複数存在するようにしたことを特徴とする光学ピックアップ。
【請求項９】
請求項７記載の光学ピックアップにおいて、
上記ホログラム素子による０次回折光を受光する上記光検出手段の複数の受光領域のいずれかの大きさが、上記ホログラム素子の０次回折光が上記光検出手段上に作る光スポットの、２倍の直径の円を超えないようにしたことを特徴とする光学ピックアップ。
【発明の詳細な説明】
【０００１】
【発明の属する技術分野】
本発明は、ホログラム素子による±１次回折光を用いることにより、フォーカス誤差信号を検出して、光記録媒体に光情報データを記録または再生する光情報記録再生装置および光情報記録再生方法に適用することができる。
【０００２】
【従来の技術】
従来、ホログラム素子による±１次回折光を用いることにより、フォーカス誤差信号を検出するフォーカス誤差信号検出機構として、例えば、特開平０８−１２４１８４号公報には、トラック誤差信号検出を行う場合には、±１次回折光を受光する２カ所の光検出器にて各々検出を行う必要があり、しかも、この受光領域ではフォーカス誤差信号検出も兼ねるようにしていた。
【０００３】
また、再生ＲＦ信号を検出する場合、±１次回折光をそれぞれ受光する光検出器が必要であり、これらの光検出器の受光面の分割数がそれぞれ３分割であるため、合計６つの受光領域となっていた。
【０００４】
【発明が解決しようとする課題】
上述のように従来のフォーカス誤差信号検出機構では、トラック誤差信号検出の際に、±１次回折光を受光する２カ所の光検出器にて各々検出を行い、しかも、フォーカス誤差信号検出も兼ねるために、受光部の分割数が多くなり、さらに波長変動による影響を受けやすかったという不都合があった。
【０００５】
また、再生ＲＦ信号検出の際に、±１次回折光をそれぞれ受光する光検出器が必要であるため、使用するアンプ数が多くなり、このため、ノイズが大きくなるという不都合があった。
【０００６】
本発明は以上の点を考慮してなされたもので、複数スポットによるトラッキングエラー検出を容易に行うことができる光情報記録再生装置および光情報記録再生方法を提案しようとするものである。
【０００７】
【課題を解決するための手段】
かかる課題を解決するため本発明の光情報記録再生装置は、光学ピックアップの光学系を介して記録媒体に光ビームを照射し、光情報データを記録または再生の少なくともいずれか一方を行う光情報記録再生装置において、上記光学系は、±１次回折光の焦点位置が、０次回折光の焦点位置に対して、光軸方向前後に焦点を結ぶように回折するホログラム素子と、上記ホログラム素子により回折された上記０次回折光および上記±１次回折光を上記記録媒体のトラックにほぼ平行な方向に対称に２分割する光学素子と、上記ホログラム素子による上記０次回折光の焦点位置近傍に設けられた光検出手段と、を備え、上記光検出手段は、上記ホログラム素子、上記光学素子により回折および分割された少なくとも２つの光ビームを受光することによりトラッキング誤差信号を生成するとともに、上記ホログラム素子により回折された±１次回折光をさらに上記光学素子により各々２分割された４つの光ビームを受光することによりフォーカス誤差信号を生成し、上記フォーカス誤差信号検出を行う領域と、トラック誤差信号検出を行う領域とを別に設けるようにしたものである。
【０００８】
また、本発明の光情報記録再生方法は、光学ピックアップの光学系を介して光ビームを照射し、記録媒体に光情報データを記録または再生する光情報記録再生方法において、上記光学系は、±１次回折光の焦点位置が、０次回折光の焦点位置に対して、光軸方向前後に焦点を結ぶようにホログラム素子により回折させ、上記ホログラム素子により回折された上記０次回折光および上記±１次回折光を光学素子により上記記録媒体のトラックにほぼ平行な方向に対称に２分割し、上記ホログラム素子による上記０次回折光の焦点位置近傍に設けられた光検出手段は、上記ホログラム素子、上記光学素子により回折および分割された少なくとも２つの光ビームを受光することによりトラッキング誤差信号を生成するとともに、上記ホログラム素子により回折された±１次回折光をさらに上記光学素子により各々２分割された４つの光ビームを受光することによりフォーカス誤差信号を生成し、上記フォーカス誤差信号検出を行う領域と、トラック誤差信号検出を行う領域とを別に設けるようにしたものである。
また、本発明の光学ピックアップは、光源から出射された光ビームを光学系を介して記録媒体に照射する光学ピックアップにおいて、上記光学系は、±１次回折光の焦点位置が、０次回折光の焦点位置に対して、光軸方向前後に焦点を結ぶように回折するホログラム素子と、上記ホログラム素子により回折された上記０次回折光および上記±１次回折光を上記記録媒体のトラックにほぼ平行な方向に対称に２分割する光学素子と、上記ホログラム素子による上記０次回折光の焦点位置近傍に設けられた光検出手段と、を備え、上記光検出手段は、上記ホログラム素子、上記光学素子により回折および分割された少なくとも２つの光ビームを受光することによりトラッキング誤差信号を生成するとともに、上記ホログラム素子により回折された±１次回折光をさらに上記光学素子により各々２分割された４つの光ビームを受光することによりフォーカス誤差信号を生成し、上記フォーカス誤差信号検出を行う領域と、トラック誤差信号検出を行う領域とを別に設けるようにしたものである。
【０００９】
本発明の光情報記録再生装置および光情報記録再生方法によれば、以下の作用をする。
レーザーからの出射光は、光学系のレンズおよび回折格子をそれぞれ通過して、対物レンズによって収束され記録媒体上に集光される。
【００１０】
一方、記録媒体からの反射光は、検出経路へと導かれる。ホログラム素子、光学素子によって光路分割され、光検出手段へと入射し、光電変換される。
このホログラム素子で発生する±１次回折光は、０次回折光の光軸方向前後に焦点を結ぶようなレンズ効果を持たせてあり、光検出手段はこれらの０次回折光の焦点位置近傍に配置する。
【００１１】
光学素子の出射面は、屋根型の構造を持ち、記録媒体で反射された光束を、トラックに平行な方向を対称に２分割するように配置され、ホログラム素子および光学素子の効果により、回折格子の０次回折光は、光検出手段上に、６つのスポットを形成する。
【００１２】
光検出手段の異なる受光領域へホログラムの０次回折光、＋１次回折光、−１次回折光がそれぞれ分割されて入射し、各々は屋根型プリズムの効果によってトラック方向に２分割されている。
【００１３】
また、回折格子によって回折された±１次回折光も同様に、ホログラムおよび光学素子によって各々６つのスポットに分割され、光検出手段上に入射するが、このうちホログラムの０次回折光のみを、光検出手段の異なる受光領域により検出する。
【００１４】
【発明の実施の形態】
以下、適宜図面を参照しながら本発明の実施の形態のホログラム素子を用いた光ディスク装置について詳述する。
【００１５】
図１は、本発明の実施の形態に係る光ディスク光学系の構成を示す図である。
【００１６】
図１に示す光学系において、レーザー１からの出射光は、コリメータレンズ２で平行光とされ、サイドスポット生成用の回折格子３を通過した後、偏光ビームスプリッタ４および１／４波長板５をそれぞれ通過して、対物レンズ６によって収束され光ディスク７上に集光される。
【００１７】
一方、光ディスク７からの反射光は、上述したビームスプリッタ４によって反射された後、検出経路へと導かれる。本実施の形態においては、集束レンズ８およびホログラム素子９ａ、プリズム９ｂによって光路分割され、光検出器１０へと入射し、光電変換される。
【００１８】
このホログラム素子９ａで発生する±１次回折光は、０次回折光の光軸方向前後に焦点を結ぶようなレンズ効果を持たせてあり、光検出器１０はこれらの０次回折光の焦点位置近傍に配置する。
【００１９】
図２は本実施の形態の回折光束を示す図である。
プリズム９ｂの出射面は、図２に示すような屋根型の構造を持ち、光ディスク７で反射された光束を、トラックに平行な線を対称としてトラック横断方向（左右方向）に２分割するように配置され、ホログラム素子９ａおよびプリズム９ｂの効果により、回折格子３の０次回折光は、図２に示すように光検出器の上に、６つのスポットを形成する。
【００２０】
図２に示す光検出器の受光領域Ａ，Ｂへはホログラム素子９ａの０次回折光が、領域Ｇ，Ｈ，Ｉには＋１次回折光が、領域Ｊ，Ｋ，Ｌには−１次回折光が入射し、各々は屋根型プリズム９ａの効果によってトラック横断方向に２分割されている。
また、回折格子３によって回折された±１次回折光も同様に、ホログラム素子９ａおよびプリズム９ｂによって各々６つのスポットに分割され、光検出器１０上に入射するが、このうちホログラム素子９ａの０次回折光のみを、図２に示す光検出器１０の領域Ｃ，Ｄ，Ｅ，Ｆにより検出する。
【００２１】
図２に本実施の形態の１２分割受光素子の配置を示す。図２において、Ａ〜Ｌまでの１２個の受光素子が、２分割受光部のＡとＢ、ＣとＤ，ＥとＦとがそれぞれトラック横断方向（左右方向）に、トラックの接線方向に対して対称に配置され、３分割受光部のＧ，Ｈ，ＩおよびＪ，Ｋ，ＬのうちのＧとＪ，ＨとＫ，ＩとＬがそれぞれ対称に配置されている。図２に示すＧからＬまでの各受光素子の出力に基づいて、数１式によりスポットサイズ法によるフォーカス誤差信号ＦＥが演算で求められる。
【００２２】
【数１】
ＦＥ＝｛Ｈ−（Ｇ＋Ｉ）｝−｛Ｋ−（Ｊ＋Ｌ）｝
【００２３】
一方、回折格子３によって回折された±１次回折光の、ホログラム素子９ａによる０次回折光は、図２に示す光検出器１０の領域Ｃ，Ｄ，Ｅ，Ｆに入射する。さらに、回折格子３の０次回折光の、ホログラム素子９ａによる０次回折光により、差動プッシュプル法によるトラッキング誤差信号ＴＥは、αを定数とすると、図２に示すＡからＦまでの６つの領域の各受光素子の出力に基づいて、数２式により演算で求められる。
【００２４】
【数２】
ＴＥ＝（Ａ−Ｂ）−α｛（Ｃ−Ｄ）＋（Ｅ−Ｆ）｝／２
【００２５】
また、再生ＲＦ信号は、数３に示すように、図２に示すＡおよびＢの各受光素子の出力和によって求められる。
【００２６】
【数３】
ＲＦ＝Ａ＋Ｂ
【００２７】
図３は、本実施の形態の他の光検出器パターンを示す図である。
図３において、領域Ａ〜Ｆの大きさをホログラム素子９ａの０次回折光の光検出器上のスポットサイズに対して、直径にして２倍以下に設定することにより、光ディスク７上に投影される光検出器の面積を小さくし、迷光の影響を減少させることができる。
【００２８】
また、領域をスポットサイズの２倍以下とするのは、再生ＲＦ信号を検出する領域ＡおよびＢのみとしても良い。ホログラム素子９ａおよびプリズム９ｂは、別体の光学素子として異なる場所に配置することも可能であり、その位置が、対物レンズ６と光検出器１０との間にある限り、同等の効果を得ることができる。
【００２９】
図４は、本実施の形態の他のプリズムを示す図である。
プリズム９ｂは、本実施の形態で用いた図４ａの他にも、図４ｂ〜図４ｄのいずれを用いても同等の効果を得ることができ、さらにホログラム素子９ａにより同等の機能を得ることも可能である。
【００３０】
また、ホログラム素子９ａに光束を分離する機能や、さらに集束レンズ８の機能を含めて１枚のホログラム素子としても良い。
【００３１】
また、トラック検出方式は、本実施の形態で示した差動プッシュプル法の他にも、回折格子３によるサイドスポットを、光検出器１０上で分離せずに用いる３スポット法、回折格子３を用いないプッシュプル法等を用いることもできる。
【００３２】
なお、図示はしないが、本実施の形態の光ディスク装置は、以下のように構成されている。
上述した光学系により光ディスク７から読み出された再生ＲＦ信号は、ヘッドアンプに供給される。ヘッドアンプは、光学系の光学ピックアップからの再生信号（検出素子の各出力）を、後段で処理するために必要な所定のレベルに増幅するものである。
【００３３】
ここで増幅された再生信号は、イコライザアンプを通過した後、信号処理系に供給される。
【００３４】
ＣＰＵは、光ディスク装置全体の動作を制御するための制御部であり、スピンドルモータのスピンドルサーボ駆動回路に対する制御も行う。
【００３５】
ヘッドアンプの出力の一部は、フォーカス誤差検出回路とトラッキング誤差検出回路に供給される。フォーカス誤差検出回路は、入力信号に対して、数１式に基づいた演算を施し、トラッキング誤差検出回路は、入力信号に対して、数２式に基づいた演算を施し、それぞれの出力は位相補償回路により位相補償が行われた後、アンプにより必要な信号振幅に増幅され、光学系へとフィードバックされる。このようにして、フォーカスサーボおよびトラッキングサーボが行われた後に、光ディスクに対して、情報の記録または再生が行われる。
【００３６】
本実施の形態の光情報記録再生装置は、光学ピックアップの光学系を介して光ビームを照射し、記録媒体に光情報データを記録または再生する光情報記録再生装置において、上記光学系は、±１次回折光の焦点位置が、０次回折光の焦点位置に対して、光軸方向前後に焦点を結ぶように回折するホログラム素子９ａと、上記±１次回折光および０次回折光からなる光束をトラックにほぼ平行な方向を対称に２分割する光学素子としてのプリズム９ｂと、上記ホログラム素子による上記０次回折光の焦点位置近傍に設けられた光検出手段としての光検出器１０と、を備えるようにしたので、上記ホログラム素子の０次回折光は、光検出手段上に６つのスポットを形成することができ、これにより、この６つの検出信号を用いてトラッキングエラーを検出するために、従来は困難であったＤＰＰ（ディファレンシャルプッシュプル）法等の複数スポットによるトラッキングエラー検出を容易に実現することができ、波長変動等の影響がない状態で、光情報データの記録または再生を行うことができる。
【００３７】
また、本実施の形態の光情報記録再生装置は、上述において、光検出手段上で、フォーカス誤差信号検出を行う領域と、トラック誤差信号検出を行う領域とを別に設けるようにしたので、トラッキングエラー検出に、±１次回折光のホログラム素子による０次回折光をのみ用いるようにすることができる。
【００３８】
また、本実施の形態の光情報記録再生装置は、上述において、上記ホログラム素子による０次回折光を受光する上記光検出手段の検出領域が、上記記録媒体のトラックにほぼ平行な方向に複数存在するようにしたので、再生ＲＦ信号を検出する光検出手段の検出領域は２分割であるので、使用するアンプ数が２つと少なく、これにより、ノイズを低減することができる。
【００３９】
また、本実施の形態の光情報記録再生装置は、上述において、上記ホログラム素子による０次回折光を受光する上記光検出手段の複数の受光領域のいずれかの大きさが、上記ホログラム素子の０次回折光が上記光検出手段上に作る光スポットの、２倍の直径の円を超えないようにしたので、再生ＲＦ信号を検出する光検出手段の検出領域を制限することにより、迷光による影響を減少させることができる。
【００４０】
また、本実施の形態の光情報再生方法は、光学ピックアップの光学系を介して光ビームを照射し、記録媒体に光情報データを記録または再生する光情報記録再生方法において、上記光学系は、ホログラム素子により、±１次回折光の焦点位置が、０次回折光の焦点位置に対して、光軸方向前後に焦点を結ぶように回折し、光学素子により、上記±１次回折光および０次回折光からなる光束をトラックにほぼ平行な方向を対称に２分割し、上記ホログラム素子による上記０次回折光の焦点位置近傍に設けられた光検出手段により上記±１次回折光および０次回折光を受光するようにしたので、上記ホログラム素子の０次回折光は、光検出手段上に６つのスポットを形成することができ、これにより、この６つの検出信号を用いてトラッキングエラーを検出するために、従来は困難であったＤＰＰ（ディファレンシャルプッシュプル）法等の複数スポットによるトラッキングエラー検出を容易に実現することができ、波長変動等の影響がない状態で、光情報データの記録または再生を行うことができる。
【００４１】
また、本実施の形態の光情報再生方法は、上述において、上記光検出手段上で、フォーカス誤差信号検出を行う領域と、トラック誤差信号検出を行う領域とを別に設けるようにしたので、トラッキングエラー検出に、±１次回折光のホログラム素子による０次回折光をのみ用いるようにすることができる。
【００４２】
また、本実施の形態の光情報再生方法は、上述において、上記ホログラム素子による０次回折光を受光する上記光検出手段の検出領域が、上記記録媒体のトラックにほぼ平行な方向に複数存在するようにしたので、再生ＲＦ信号を検出する光検出手段の検出領域は２分割であるので、使用するアンプ数が２つと少なく、これにより、ノイズを低減することができる。
【００４３】
また、本実施の形態の光情報再生方法は、上述において、上記ホログラム素子による０次回折光を受光する上記光検出手段の複数の受光領域のいずれかの大きさが、上記ホログラム素子の０次回折光が上記光検出手段上に作る光スポットの２倍の直径の円を超えないようにしたので、再生ＲＦ信号を検出する光検出手段の検出領域を制限することにより、迷光による影響を減少させることができる。
【００４４】
なお、上述した本実施の形態においては、光ディスク７は、特定しないが、例えば、記録可能な、ＤＶＤ−ＲＡＭ、ミニディスク（ＭＤ）、書き換え型のＣＤ−ＲＯＭ、光磁気ディスク（ＭＯ）であっても良い。
【００４５】
【発明の効果】
本発明の光情報記録再生装置は、光学ピックアップの光学系を介して光ビームを照射し、記録媒体に光情報データを記録または再生する光情報記録再生装置において、上記光学系は、±１次回折光の焦点位置が、０次回折光の焦点位置に対して、光軸方向前後に焦点を結ぶように回折するホログラム素子と、上記±１次回折光および０次回折光からなる光束をトラックにほぼ平行な方向を対称に２分割する光学素子と、上記ホログラム素子による上記０次回折光の焦点位置近傍に設けられた光検出手段と、を備えるようにしたので、上記ホログラム素子の０次回折光は、光検出手段上に６つのスポットを形成することができ、これにより、この６つの検出信号を用いてトラッキングエラーを検出するために、従来は困難であったＤＰＰ（ディファレンシャルプッシュプル）法等の複数スポットによるトラッキングエラー検出を容易に実現することができ、波長変動等の影響がない状態で、光情報データの記録または再生を行うことができるという効果を奏する。
【００４６】
また、本発明の光情報記録再生装置は、上述において、上記光検出手段上で、フォーカス誤差信号検出を行う領域と、トラック誤差信号検出を行う領域とを別に設けるようにしたので、トラッキングエラー検出に、±１次回折光のホログラム素子による０次回折光をのみ用いるようにすることができるという効果を奏する。
【００４７】
また、本発明の光情報記録再生装置は、上述において、上記ホログラム素子による０次回折光を受光する上記光検出手段の検出領域が、上記記録媒体のトラックにほぼ平行な方向に複数存在するようにしたので、再生ＲＦ信号を検出する光検出手段の検出領域は２分割であるので、使用するアンプ数が２つと少なく、これにより、ノイズを低減することができるという効果を奏する。
【００４８】
また、本発明の光情報記録再生装置は、上述において、上記ホログラム素子による０次回折光を受光する上記光検出手段の複数の受光領域のいずれかの大きさが、上記ホログラム素子の０次回折光が上記光検出手段上に作る光スポットの、２倍の直径の円を超えないようにしたので、再生ＲＦ信号を検出する光検出手段の検出領域を制限することにより、迷光による影響を減少させることができるという効果を奏する。
【００４９】
また、本発明の光情報記録再生方法は、光学ピックアップの光学系を介して光ビームを照射し、記録媒体に光情報データを記録または再生する光情報記録再生方法において、上記光学系は、ホログラム素子により、±１次回折光の焦点位置が、０次回折光の焦点位置に対して、光軸方向前後に焦点を結ぶように回折し、光学素子により、上記±１次回折光および０次回折光からなる光束をトラックにほぼ平行な方向を対称に２分割し、上記ホログラム素子による上記０次回折光の焦点位置近傍に設けられた光検出手段により上記±１次回折光および０次回折光を受光するようにしたので、上記ホログラム素子の０次回折光は光検出手段上に６つのスポットを形成することができ、これにより、この６つの検出信号を用いてトラッキングエラーを検出するために、従来は困難であったＤＰＰ（ディファレンシャルプッシュプル）法等の複数スポットによるトラッキングエラー検出を容易に実現することができ、波長変動等の影響がない状態で、光情報データの記録または再生を行うことができるという効果を奏する。
【００５０】
また、本発明の光情報記録再生方法は、上述において、上記光検出手段上で、フォーカス誤差信号検出を行う領域と、トラック誤差信号検出を行う領域とを別に設けるようにしたので、トラッキングエラー検出に、±１次回折光のホログラム素子による０次回折光をのみ用いるようにすることができるという効果を奏する。
【００５１】
また、本発明の光情報記録再生方法は、上述において、上記ホログラム素子による０次回折光を受光する上記光検出手段の検出領域が、上記記録媒体のトラックにほぼ平行な方向に複数存在するようにしたので、再生ＲＦ信号を検出する光検出手段の検出領域は２分割であるので、使用するアンプ数が２つと少なく、これにより、ノイズを低減することができるという効果を奏する。
【００５２】
また、本発明の光情報記録再生方法は、上述において、上記ホログラム素子による０次回折光を受光する上記光検出手段の複数の受光領域のいずれかの大きさが、上記ホログラム素子の０次回折光が上記光検出手段上に作る光スポットの２倍の直径の円を超えないようにしたので、再生ＲＦ信号を検出する光検出手段の検出領域を制限することにより、迷光による影響を減少させることができるという効果を奏する。
【図面の簡単な説明】
【図１】本発明の実施の形態の光ディスク光学の構成を示す図である。
【図２】本発明の実施の形態の対物レンズの焦点が合っている場合の光ディスクから光検出器に入射する回折光束を示す図である。
【図３】本発明の実施の形態の他の光検出器のパターンを示す図である。
【図４】本発明の実施の形態の他のプリズムの形状を示す図である。
【符号の説明】
１……レーザー、２……コリメータレンズ、３……回折格子、４……偏光ビームスプリッタ、５……１／４波長板、６……対物レンズ、７……光ディスク、８……集束レンズ、９ａ……ホログラム素子、９ｂ……プリズム、１０……光検出器、Ａ，Ｂ……０次回折光受光部（メイン）、Ｃ，Ｄ……０次回折光受光部（サイド）、Ｅ，Ｆ……０次回折光受光部（サイド）、Ｇ，Ｈ，Ｉ……＋１次回折光受光部、Ｊ，Ｋ，Ｌ……−１次回折光受光部、４ａ〜４ｄ……プリズム
【図１】
0003994527.tif 000002
【図２】
0003994527.tif 000003
【図３】
0003994527.tif 000004
【図４】
0003994527.tif 000005